(57)【特許請求の範囲】
【請求項１】
送信機と受信機間の伝搬路特性を測定するパスサーチ機能と、受信スペクトル拡散信号に対して逆拡散および同期追従を行う機能と、同期検波およびＲａｋｅ合成を行う機能からなるスペクトル拡散通信システムにおける同期追従方式であって、
前記パスサーチ機能は、遅延プロファイル測定手段と、該遅延プロファイルからパスタイミングを抽出する手段とを備えて実現し、
前記同期追従を行う機能は、受信したスペクトル拡散ベースバンド信号に対して基準位相からΔチップ位相だけ進んだ位置で逆拡散を行うｅａｒｌｙ相関器と、基準位相からΔチップ位相だけ遅れた位置で逆拡散を行う１ａｔｅ相関器と、基準位相における逆拡散を行うｐｕｎｃｔｕａｌ相関器と、前記ｅａｒｌｙ相関器から出力される相関値と前記１ａｔｅ相関器から出力される相関値の比較を行う比較器と、該比較器の出力信号に基づいてチップクロックの位相制御を行うループフィルタと、該ループフィルタからの位相制御信号に基づいてチップクロックの位相調整を行うチップクロック位相調整器と、該チップクロック位相調整器から出力されるチップクロックに基づいて基準位相に対して±Δチップ位相をずらしたそれぞれの拡散符号を生成する拡散符号発生器とを備えたＤＬＬ同期追従回路により実現し、
前記パスサーチ機能は、
さらに、遅延プロファイルからパスタイミングを抽出する手段と、従属パスグループと独立パスを識別する手段と、従属パスグループから一つのメインパスおよび当該メインパスに対する従属パスとを判別するパス識別部とを備えて実現し、
独立したパスタイミング信号とメインパスについては独立したＤＬＬ動作を行い、従属パスのパスタイミング信号については、メインパスにおけるＤＬＬ動作により、位相調整されたチップクロックを利用してメインパスに同期したＤＬＬ動作を行うことを特徴とする同期追従方式。
【請求項２】
前記ＤＬＬ同期追従回路における複数の従属パスに対する前記Ｐｕｎｃｔｕａｌ相関器と、前記Ｐｕｎｃｔｕａｌ相関器に対応した拡散符号発生器とは、従属パスの数だけ複数並設したことを特徴とする請求項１記載の同期追従方式。
【請求項３】
前記ＤＬＬ同期追従回路は、
少なくとも一つの独立パス、またはメインパスに対するＤＬＬ回路と、
複数の汎用ＤＬＬ回路から構成され、
前記汎用ＤＬＬ回路は、
独立パスまたはメインパスに対するＤＬＬ制御を行うか、あるいはメインパスに同期した従属パスのＤＬＬ制御を行うかを切替え手段により選択可能なことを特徴とする請求項１記載の同期追従方式。
【請求項４】
前記ＤＬＬ同期追従回路は、
Ｒａｋｅ合成に必要な数だけ前記ｐｕｎｃｔｕａ１相関器を並設したことを特徴とする請求項２または３記載の同期追従方式。
【請求項５】
前記パスサーチ機能において、閾値を設定可能な閾値設定手段を設け、該閾値設定手段により設定された閾値以上の値を有する遅延プロファイルのパスタイミング信号が連続した場合には、これらのパスを従属パスグループと識別することを特徴とする請求項１記載の同期追従方式。
【請求項６】
前記パスサーチ機能において、所定のパスに対して±１チップ時間長以内にパスタイミング信号が存在する場合に、これらのパスを従属パスグループと識別することを特徴とする請求項１記載の同期追従方式。
【請求項７】
前記パスサーチ機能において、前記パスグループの中で最大振幅パスをメインパスとし、前記従属パスグループの中のその他のパスを従属パスとすることにより、従属パスを識別する手段を構成することを特徴とする請求項５または６記載の同期追従方式。
【請求項８】
前記パスサーチ機能において、前記従属パスグループの中で最大の信号電力対干渉電力比を持ったパスをメインパスとし、前記従属パスグループの中のその他のパスを従属パスとすることにより従属パスを識別する手段を構成することを特徴とする請求項５または６記載の同期追従方式。
【請求項９】
前記パスサーチ機能において、前記従属パスグループにおける従属パス数はＲａｋｅ合成を行うパス数以下に制限されていることを特徴とする請求項５または６記載の同期追従方式。
【請求項１０】
前記パスサーチ機能において、前記従属パスグループにおける従属パス数を１としたことを特徴とする請求項５または６記載の同期追従方式。
【発明の詳細な説明】
【０００１】
【発明の属する技術分野】
本発明は、スペクトル拡散通信方式およびＣＤＭＡ（Ｃｏｄｅ  Ｄｉｖｉｓｉｏｎ  Ｍｕｌｔｉｐｌｅｘ  Ａｃｃｅｓｓ）方式を利用した無線通信システムにおける受信機の同期追従方式に関するものである。
【０００２】
【従来の技術】
スペクトル拡散通信およびスペクトル拡散通信技術を利用したＣＤＭＡシステムは、マルチパスフェージングに強く、データの高速化が可能であるとともに、通信品質が良好であり、周波数利用効率が良いため、次世代の移動通信およびマルチメディア無線通信に有望な通信方式となっている。
【０００３】
スペクトル拡散通信は、送信側において、伝送すべき信号の帯域幅よりもはるかに広い帯域に拡散して送信を行う。拡散のために使用する拡散クロックをチップクロック（以下、チップＣＬＫと記す）と言う。一方、受信側では、スペクトル拡散された信号を元の信号帯域幅に復元する機能が要求される。このような元の信号帯域幅に復元する動作は逆拡散と呼ばれ、逆拡散マッチトフィルタによる手法およびスライディング相関による手法が知られている。特に、スライディング相関手法は構成が容易なため、広く使用されている。スライディング相関により初期同期機能が実行され、それに引き続く同期追従または同期保持の動作により同期が完了する。同期追従機能は、スペクトル拡散通信技術の最も重要な機能の一つである。
【０００４】
従来、このような同期追従を行うための技術として、例えば、以下の文献１、２に記載されている遅延ロックルーブ（ＤＬＬ：Ｄｅｌａｙ  Ｌｏｃｋ  Ｌｏｏｐ）を用いた同期追従方式がある。
文献１：池上文夫他著“ディジタル移動通信技術”、初版１９８８年０２月２５日発行、日本工業技術センター、ｐｐ．１２７〜１２８
文献２：横山光雄著“スペクトル拡散通信システム”科学技術出版社、ｐｐ．２９０〜３１１
【０００５】
上述した従来の同期追従方式を、図７を用いて説明する。
図７は、前記各文献に示されているＤＬＬ回路を用いた同期追従方式の概略構成を示すブロック図である。
従来のＤＬＬ回路では、図７に示すように、基準位相からΔチップ（１チップ時間長のΔ倍）だけ位相の進んだ拡散符号系列Ｅコード  （Ｅａｒｌｙ  Ｃｏｄｅ）とΔチップだけ位相の遅れた拡散符号系列Ｌコード（Ｌａｔｅ  Ｃｏｄｅ）とがそれぞれ入力される２つの相関器１０、１１が用いられている。拡散符号系列の自己相関関数は三角形状になるため、受信信号とＥコードおよびＬコードとの相関出力は、それぞれ図８（ａ）（ｂ）に示すようになる。また、この２つの相関出力の差（以下、フィードバック制御信号と呼ぶ）は、図８（ｃ）に示すようになる。
【０００６】
図８において、横軸は受信信号の位相と基準位相の位相ずれεを示している。フィードバック制御信号は、ループフィルタ１３でろ波された後、電圧制御オシレータ（ＶＣＯ）１４に入力されて拡散符号発生器１５の位相を制御する。フィードバック制御信号は、基準位相が遅れている時は位相を進めるようにＶＣＯ１４を駆動し、基準位相が進んでいる時は位相を遅らせるようにＶＣＯ１４を駆動する。このような操作を続けることにより、ＤＬＬはε＝０の点にロックして符号同期を維持する。
【０００７】
移動通信等の無線環境下でマルチパスが存在する場合の遅延プロファイル特性、すなわち、相関出力波形の例を、図９において符号１６、１７、１８で示す。図９において、縦軸は相関出力であり、横軸は時間を示している。スペクトル拡散通信方式では、１チップ以上の遅延波を分離することは可能ではあるが、マルチパス信号１６の波形は１チップ以内に遅延波が存在するために相関波形が歪む。一方、マルチパス信号１７および１８の波形は、互いに１チップ以上の遅延波のため独立した遅延波として観測される。
【０００８】
【発明が解決しようとする課題】
上述したＤＬＬ方式（図７参照）では、マルチパスが存在しない理想的な状況における同期追従機能を実現することができる。しかしながら、移動体通信等の無線環境下では多くの複雑なマルチパスが存在するため、図８に示すような受信信号とＥコードおよびＬコードとの相関出力およびこの２つの相関出力の差における信号特性（図８（Ｃ）参照）は歪んだ特性となり、希望する同期追従機能を得ることができない。
例えば、マルチパス成分としてΔチップ以内の遅延時間差を持っている場合に、マルチパス成分のうちいずれか一つのメインパスに対するＤＬＬ特性を図８（Ｃ）と仮定すると、Δチップ以内の遅延時間差を持つ他のパスも図８（Ｃ）のＤＬＬ制御を受けるため、この一つのメインパスと同一パスとして吸収されてゆく。
【０００９】
また、図９において、遅延時間が接近したマルチパスにより歪んだ成分であるマルチパス信号１６は、例えば２つのマルチパス成分１９、２０から構成されていると仮定する。ここで、説明を簡単にするために、マルチパス信号の成分をインパルス的信号であるマルチパス成分１９および２０と、３７および３８で表している。マルチパス成分１９をメインパスとすれば、メインパスであるマルチパス成分９に対するＤＬＬ制御のために、マルチパス成分１９は、図９（Ｃ）に示すように、ε＝０の近傍において正規の同期追従制御が行われる。また、マルチパス成分２０に対してもε＝０となるよう同期追従制御が行われるため、上述したように、マルチパス成分２０はメインパスであるマルチパス成分１９の方に移動し、最後には吸収されてしまう。
【００１０】
したがって、マルチパス成分を分離するというスペクトル拡散通信方式およびＣＤＭＡ方式の特徴にもかかわらず、ＤＬＬによる同期追従過程においてマルチパス成分を分離できなくなってしまう。その結果、マルチパス成分を分離するとともに、同期検波しＲａｋｅ合成するという、スペクトル拡散通信方式およびＣＤＭＡ方式の特徴的な機能を発揮することができなくなるという問題があった。
【００１１】
本発明は、上述した事情に鑑み提案されたもので、マルチパス環境下においても同期追従機能を発揮することができるとともに、マルチパス波を有効に合成することができるＲａｋｅ機能を実現可能な同期追従方式を提供することを目的とする。
【００１２】
【課題を解決するための手段】
本発明の同期追従方式は、送信機と受信機間の伝搬路特性を測定するパスサーチ機能と、受信スペクトル拡散信号に対して逆拡散および同期追従を行う機能と、同期検波およびＲａｋｅ合成を行う機能からなるスペクトル拡散通信システムにおける同期追従方式であって、
前記パスサーチ機能は、遅延プロファイル測定手段と、該遅延プロファイルからパスタイミングを抽出する手段とを備えて実現し、
前記同期追従を行う機能は、受信したスペクトル拡散ベースバンド信号に対して基準位相からΔチップ位相だけ進んだ位置で逆拡散を行うｅａｒｌｙ相関器と、基準位相からΔチップ位相だけ遅れた位置で逆拡散を行う１ａｔｅ相関器と、基準位相における逆拡散を行うｐｕｎｃｔｕａｌ相関器と、前記ｅａｒｌｙ相関器から出力される相関値と前記１ａｔｅ相関器から出力される相関値の比較を行う比較器と、該比較器の出力信号に基づいてチップクロックの位相制御を行うループフィルタと、該ループフィルタからの位相制御信号に基づいてチップクロックの位相調整を行うチップクロック位相調整器と、該チップクロック位相調整器から出力されるチップクロックに基づいて基準位相に対して±Δチップ位相をずらしたそれぞれの拡散符号を生成する拡散符号発生器とを備えたＤＬＬ同期追従回路により実現し、
前記パスサーチ機能は、
さらに、遅延プロファイルからパスタイミングを抽出する手段と、従属パスグループと独立パスを識別する手段と、従属パスグループから一つのメインパスおよび当該メインパスに対する従属パスとを判別するパス識別部とを備えて実現し、
独立したパスタイミング信号とメインパスについては独立したＤＬＬ動作を行い、従属パスのパスタイミング信号については、メインパスにおけるＤＬＬ動作により、位相調整されたチップクロックを利用してメインパスに同期したＤＬＬ動作を行うことを特徴とするものである。
【００１３】
また、前記ＤＬＬ同期追従回路における複数の従属パスに対する前記Ｐｕｎｃｔｕａｌ相関器と、前記Ｐｕｎｃｔｕａｌ相関器に対応した拡散符号発生器とは、従属パスの数だけ複数並設することが可能である。
【００１４】
また、前記ＤＬＬ同期追従回路は、
少なくとも一つの独立パス、またはメインパスに対するＤＬＬ回路と、
複数の汎用ＤＬＬ回路から構成され、
前記汎用ＤＬＬ回路は、
独立パスまたはメインパスに対するＤＬＬ制御を行うか、あるいはメインパスに同期した従属パスのＤＬＬ制御を行うかを切替え手段により選択可能となるように構成することが可能である。
【００１５】
また、前記ＤＬＬ同期追従回路は、
Ｒａｋｅ合成に必要な数だけ前記ｐｕｎｃｔｕａ１相関器を並設することが可能である。
【００１６】
また、前記パスサーチ機能において、閾値を設定可能な閾値設定手段を設け、該閾値設定手段により設定された閾値以上の値を有する遅延プロファイルのパスタイミング信号が連続した場合には、これらのパスを従属パスグループと識別することが可能である。
【００１７】
また、前記パスサーチ機能において、所定のパスに対して±１チップ時間長以内にパスタイミング信号が存在する場合に、これらのパスを従属パスグループと識別することが可能である。
【００１８】
また、前記パスサーチ機能において、前記パスグループの中で最大振幅パスをメインパスとし、前記従属パスグループの中のその他のパスを従属パスとすることにより、従属パスを識別する手段を構成することが可能である。
【００１９】
また、前記パスサーチ機能において、前記従属パスグループの中で最大の信号電力対干渉電力比を持ったパスをメインパスとし、前記従属パスグループの中のその他のパスを従属パスとすることにより従属パスを識別する手段を構成することが可能である。
【００２０】
また、前記パスサーチ機能において、前記従属パスグループにおける従属パス数はＲａｋｅ合成を行うパス数以下に制限することが可能である。
【００２１】
また、前記パスサーチ機能において、前記従属パスグループにおける従属パス数を１とすることが可能である。
【００２２】
上述した構成からなる本発明の同期追従回路によれば、従属パスグループはメインパスに同期したＤＬＬ動作を行うので、独立パスと同様に実効的には独立したパスとして存在する。したがって、Ｒａｋｅ合成のためのパスとして利用することができるため、スペクトル拡散方式およびＣＤＭＡ方式の特徴であるＲａｋｅ機能による特性向上が可能な同期追従方式を構成することができる。
【００２３】
【発明の実施の形態】
以下、図面に基づいて、本発明の同期追従方式の実施形態を説明する。
【００２４】
＜第１実施形態＞
図１は、本発明の第１実施形態に係る同期追従方式を用いたスペクトル拡散通信方式およびＣＤＭＡ方式の受信部の概略構成を示すブロック図である。なお、以下の説明において、クロックのことを「ＣＬＫ」と記す場合がある。
【００２５】
本発明の第１実施形態に係る同期追従方式では、図１に示すように、アンテナ１で受信されたスペクトル拡散信号またはＣＤＭＡ信号は、ＲＦ増幅部２により増幅された後、周波数変換部３により無線周波数から中間周波数またはベースバンド周波数に変換される。そして、逆拡散部と同期追従部からなる同期部４と、同期検波およびＲａｋｅ合成機能からなる情報復調部５を介して復調データ７を得ることができる。
【００２６】
また、マルチパス環境下で動作を可能とするために、その状況を把握するための遅延プロファイル測定と、パスタイミング測定と、マルチパス成分に対して独立パス成分と従属パス成分とを識別するための機能を、パスサーチ部６により実行すると同時に、パスサーチ部６に含まれるパス識別部３２により、逆拡散、同期追従およびＲａｋｅ合成すべき受信信号のパスを検索して決定する。
【００２７】
＜同期部＞
図２は、パスサーチ部６により指定された一つのパスに対する同期部４の構成を示すブロック図であり、図１で示す逆拡散部と同期追従部からなる同期部４の詳細を示している。
【００２８】
同期部４における同期追従部であるＤＬＬ回路９１は、図２に示すように、基準位相よりΔチップ（例えば、１チップまたは１／２チップ）進んだ位置において逆拡散を行うｅａｒｌｙ相関器２１と、基準位相よりΔチップ遅れた位置において逆拡散を行う１ａｔｅ相関器２２と、ｅａｒｌｙ相関器２１からの相関値と１ａｔｅ相関器２２からの相関値を比較する比較器２３と、比較器２３からの比較結果に基づいてチップＣＬＫ位相の制御を行うループフィルタ２４と、クロック（ＣＬＫ）を発生するＣＬＫ発生器２５と、ループフィルタ２４からの位相制御信号に基づいてスペクトル拡散信号のチップ速度であるチップＣＬＫの位相調整を行うチップＣＬＫ位相調整器２６と、チップＣＬＫ位相調整器２６から出力されるチップＣＬＫに基づいて、基準位相に対してΔチップ位相を進めた拡散符号と、Δチップ位相を遅らせた拡散符号と、基準位相の拡散符号を発生させる拡散符号発生器２７とから構成されている。
【００２９】
また、受信ベースバンド信号８の相関信号を発生する逆拡散部９２は、基準位相の拡散符号を持ったｐｕｎｃｔｕａｌ  ｃｏｄｅを用いて逆拡散を行うｐｕｎｃｔｕａ１相関器２８で構成されている。
このように、同期部４は、同期追従を行うＤＬＬ回路９１と、受信信号の逆拡散を行い情報復調に利用するための信号２９を生成する逆拡散部９２とから構成されている。
【００３０】
＜パスサーチ部＞
図３は、本発明の同期追従方式におけるパスサーチ部６の概略構成を示すブロック図である。
受信ベースバンド信号８は、図３に示すように、マッチトフィルタ、スライディング相関器等から構成された遅延プロファイル測定部３０に入力される。そして、パスタイミング測定部３１において、測定した遅延プロファイル信号３３（図９参照）に基づき、チップクロック以上の精度を持ったマスタークロック信号３４を用いて正確なパスタイミング測定が実行される。なお、マスタークロック信号３４は、図２で示すように、ＣＬＫ発生器２５により生成される。
【００３１】
Ｒａｋｅ合成するために必要となるパス数は、そのシステムが運用されるマルチパス環境に依存して決まる。一般的には、移動体通信においてＲａｋｅ合成すべきパス数は３〜８が適切である。
受信ベースバンド信号８は、遅延プロファイル測定部３０において遅延プロファイルが測定される。そして、その遅延プロファイル信号３３をパス識別部３２に入力することにより、チップクロックまたはそれ以上の速度でサンプリングした遅延プロファイルサンプリングデータを得ることができる。その遅延プロファイルサンプリングデータは、図示しないが、パス識別部３２に含まれる閾値設定手段により設定した閾値と比較され、当該閾値以上を持つサンプリング信号が有効パス信号と判定される。この閾値は、雑音等による相関値と、実際に信号があるかどうかを判定するために用いられるものであり、例えば雑音成分の２倍等に定められている。なお、この閾値の決定方法については、本発明の同期追従方式とは関係がないため詳細な説明は行わない。
【００３２】
＜パス識別部＞
パス識別部３２は、遅延プロファイル信号３３およびパスタイミング信号３５を利用して、逆拡散するとともに同期検波し、Ｒａｋｅ合成に使用する有効なパスを選択し、さらにその有効パスを従属パスグループ信号と独立パス信号とに識別する機能を有する。
【００３３】
このパス識別部３２の機能を、以下に説明する。
パス識別部３２では、まず、従属パスグループと独立パスとの選別を行なう。ここでは、一例として相関波形同士に相関を持つようなパスを従属パスグループとし、その他のパスを独立パスと分類する。この後、例えば、有効パス信号と判定されたパスタイミング信号のサンプルタイミング値が連続した場合には、サンプリング速度に依存するが、１チップ程度の遅延時間の近接パスのため、その連続したパスタイミング信号は、従属パスグループと判定される。
【００３４】
従属パスグループの他の判定法としては、以下のような方法がある。すなわち、ＤＬＬ回路では基準位相より±Δチップ位相だけずらした位相差を利用して追従させるため、Δチップ以内に存在する閾値以上を持つサンプリング信号を従属パスと識別する。また、１／２チップまたは１チップをΔチップとすれば、ほぼ１チップ以内に存在する信号パスは、従属パスグループと判別される。つまり、あるパスに対して±１チップ以内に近接パスが存在する場合に、当該複数のパスを従属パスグループとする。例えば、あるパスａに対してパスｂが０．７５チップ遅延したタイミングに存在し、パスｃがパスａに対し、１．５チップ遅延したタイミングに存在し、パスｄがパスａに対し２．２５チップ遅延したタイミングに存在するような場合に、パスａとパスｂとのタイミング差は１チップ以下であるため、これらは従属パスグループとなり、パスｂとパスｃのタイミング差は１チップ以下であるため、これらも従属パスグループとなり、さらにパスｃとパスｄもタイミング差が１チップ以下であるため、これらも従属パスグループとなる。したがって、これらのパスａ〜ｄは、一つの従属パスグループとして判定される。
【００３５】
従属パスグループに存在するパス数は、マルチパス状況の影響を受けるが、当該パス数には制限がある。すなわち、従属パス数は、少なくとも受信機でＲａｋｅ合成するパス数以下に制限されることは明らかである。
また、従属パスグループに存在するパスを、一つのメインパスと一つの従属パスとすることにより、従属パス判定が容易となる。
この後、従属パスグループの中で、最も同期追従に最適なパスを、その従属パスのメインパスとして選択する。
この際、例えば、従属パスグループの中で最大の相関出力信号振幅を持つパス信号をメインパスとし、それ以外のパスを従属パスと判定する。この選択手法を用いると非常に簡易に当該判定を実現することができる。
【００３６】
その他の判定法として、従属パスグループの中で最大の信号電力対干渉電力比を持つパス信号をメインパスとし、それ以外のパスを従属パスと判定する方法がある。
【００３７】
上述した識別は、図３に示すパス識別部３２において実行され、パス識別部３２を含むパスサーチ部６は、ハードウエアおよびＤＳＰ（デジタル・シグナル・プロセッサ）により実現することができる。
信号電力対干渉電力比の算出法は、スペクトル拡散信号構成に依存するが、例えば、パイロットシンボル等の既知シンボルを利用して、受信シンボルの平均振幅とその分散値の比を算出することにより求めることができる。この選択手法を用いると、より信頼度の高い判定を実現することができる。
【００３８】
例えば、図９において、パスタイミング信号３５の中で近接したパス成分であるマルチパス成分１９および２０は、従属パスグループと識別し、その従属パスグループの中で最大相関値（受信電界強度）を持ったマルチパス成分１９はメインパスと識別し、マルチパス信号２０はメインパスであるマルチパス成分１９に対する従属パスと識別するように機能する。また、従属パスグループであるマルチパス成分１９および２０に対して、パス１７および１８は、互いに１チップ以上遅延時間差を有しているため、独立パスと識別される。
【００３９】
このように、パス識別部３２は、有効パスを、独立パス、従属パスおよびメインパスとして識別するとともに、その有効パス・タイミングを測定する機能を有している。この有効パスタイミング信号９は、独立パス、従属パスおよびメインパスに依存して、ＤＬＬ回路９１および情報復調部５に入力される。
【００４０】
＜メインパスの決定＞
上記したメインパス判定手段は、ソフトウェアにより容易に実現することができる。
メインパスを決定する手順を、図４のフローチャートに示す。なお、図４に示す手順は一例であり、メインパスを決定する手順は、この手順に限定されるものではない。
【００４１】
メインパスを決定するには、図４に示すように、まず、従属パスグループと判定された複数のパスを含んだグループの情報を取り込む（Ｓ１０１）。このステップでは、パスのタイミング情報等により識別される各パスの振幅情報（ＳＩＲにより判定する場合にはＳＩＲ情報）が一時的にバッファリングされる。
次のステップとして、初期化（Ｓ１０２）が行われる。このステップでは、パスナンバ（図中Ｉで示す）、最大値情報（図中ｍａｘで示す）が初期化されて「０」となる。そして、パス数（図中Ｋで示す）を当該従属パスグループに含まれるパス数に設定する。
【００４２】
次のステップは、パス番号増加ステップ（Ｓ１０３）である。このステップでは、内部パラメータであるパスナンバが「１」だけインクリメントされる。
次のステップは、最大値との比較ステップ（Ｓ１０４）である。このステップでは、一時的に貯えられた最大値情報と、パスナンバに関連したパスの振幅情報とを比較する。ここで、パスナンバは、各パスに無作為に順番に付加されたナンバであり、従属パスグループ内に４パスが存在する場合、例えば受信タイミングの早いものから順番に「１」から「４」までのナンバが付加される。
【００４３】
例えば、ここでは一番受信タイミングの早いパスの振幅情報をＳ（１）、２番目のものをＳ（２）…というように付加していくものとする。
例えば、最初にＳ（１）が読み出されるとすると、ｍａｘは未だ初期値「０」のままであるため、このステップにおける判定結果は「ｙｅｓ」となる。
【００４４】
次のステップは、最大値情報保存ステップ（Ｓ１０５）である。このステップでは、ｍａｘよりも受信電解強度の強いパスが存在したこととなるため、ｍａｘはＳ（１）に更新される。この際、最大受信電界強度を持つパスナンバを保存しておく。
次のステップは、終了判定ステップ（Ｓ１０６）である。このステップでは、全パスを判定したかどうかを識別する。上述した例においては、未だ４パス中１パスしか処理していないため、Ｉ＜Ｋとなりパス番号増加ステップ（Ｓ１０３）に戻ることとなる。
上述した処理をパス数分だけ繰り返すことにより、最大受信電解強度を持つパスを判定することが可能となり、メインパスの判定が実現される。
【００４５】
パス識別部３２で独立パスと識別されたパスは、図２で示すＤＬＬ回路９１により追従が行われる。また、Ｐｕｎｃｔｕａ１相関器２８の出力２９は、同期検波／Ｒａｋｅ合成のために情報復調部５に入力される。
パス識別部３２で従属パスグループにおけるメインパスと識別されたパスは、上述した独立パスと同様に、図２で示すＤＬＬ回路９１により追従が行われる。また、Ｐｕｎｃｔｕａ１相関器２８の出力２９は、同期検波／Ｒａｋｅ合成のために情報復調部５に入力される。
【００４６】
一方、パス識別部３２で従属パスグループにおける従属パスと識別されたパスについてのＤＬＬ動作は、メインパスにおけるＤＬＬ回路９１で位相調整されたチップＣＬＫを共通に利用することにより、メインパスと同期したチップＣＬＫ制御となる。したがって、従属パスについてのＤＬＬ動作は、チップＣＬＫを独自に制御させることにより、図８（Ｃ）に示すようなε＝０となる動作が回避されるため、従来の同期追従方式で発生していた問題、すなわち、近接パスがメインパス信号の方に移動し、最後には吸収されてしまうという問題を解決することができる。
このため、マルチパス成分を分離するとともに、同期検波してＲａｋｅ合成するというスペクトル拡散通信方式およびＣＤＭＡ方式の特徴的な機能を、近接マルチパス状況下においても発揮することができる。
【００４７】
＜第２実施形態＞
次に、図５に基づいて、本発明の第２実施形態に係る同期追従方式を説明する。
第２実施形態に係る同期追従方式において、各独立パスおよび従属パスグループのうちのいずれか一つのメインパスに対して、それぞれ独立にＤＬＬ動作を機能させるため、図２に示すＤＬＬ回路９１は、メインパスの数と独立パスの数だけ並設される。
【００４８】
図１および図３に示すパスサーチ部６から得られた有効パスタイミング信号９により指定された従属パスグループ、例えば、図９に示すパス成分であるマルチパス成分１９および２０に対するＤＬＬ回路９３を図５に示す。
まず、メインパスであるマルチパス成分１９に対するＤＬＬ回路９３の動作を説明する。
【００４９】
ＤＬＬ回路９３は、図５に示すように、基準位相よりΔチップ（例えば、１チップまたは１／２チップ）進んだ位置での逆拡散を行うｅａｒｌｙ相関器４１と、基準位相よりΔチップ遅れた位置での逆拡散を行う１ａｔｅ相関器４２と、ｅａｒｌｙ相関器４１からの相関値と１ａｔｅ相関器４２からの相関値を比較する比較器（図示せず）と、比較器からの比較結果に基づいてチップＣＬＫ位相の制御を行うループフィルタ（図示せず）と、ＣＬＫを発生するＣＬＫ発生器（図示せず）と、ループフィルタからの位相制御信号に基づいてチップＣＬＫの位相調整を行うチップＣＬＫ位相調整器（図示せず）と、チップＣＬＫ位相調整器から出力されるチップＣＬＫに基づいて、基準位相に対してΔチップ位相を進めた拡散符号と、Δチップ位相を遅らせた拡散符号と、基準位相の拡散符号を発生させる拡散符号発生器４４から構成されている。
【００５０】
基準位相の拡散符号を発生させる拡散符号発生器４４では、図３に示すパス識別部３２で生成されて規定された、そのメインパスの有効パスタイミング信号９に基いて、拡散符号が生成される。
なお、このＤＬＬ回路９３では、上述した比較器、ループフィルタ、チップＣＬＫ位相調整器がまとめられて誤差検出器４３を構成しており、該誤差検出器４３の出力４８により位相調整されたチップＣＬＫを得ることができる。上記したＤＬＬ回路９３は、図２に示すＤＬＬ回路９１と同一の構成となっている。
【００５１】
基準位相における逆拡散を行うｐｕｎｃｔｕａｌ相関器４０からの逆拡散出力４５は、従属パスグループのメインパスであるマルチパス成分１９に対する相関出力であり、情報復調に利用するために利用される。
メインパスであるマルチパス成分１９に対する同期部４６は、このように、ＤＬＬ回路９３と逆拡散を行うｐｕｎｃｔｕａ１相関器４０とから構成されている。また、逆拡散部４７は、ｐｕｎｃｕｔｕａｌ相関器５０と拡散符号発生器５４により構成されている。
【００５２】
従属パスグループのメインパスに対する従属パス成分２０は、メインパス成分１９と共通に位相調整されたチップＣＬＫ４８を利用して同期追従が実行される。したがって、従属パスに関する同期部は、Ｐｕｎｃｔｕａ１相関器５０とその有効パスタイミング信号９で規定されたタイミングで拡散符号を発生する拡散符号発生器５４のみから構成される。その結果、従属パスについては、ＤＬＬ回路９３をメインパスと共用するため、容易な構成により、Ｐｕｎｃｔｕａ１相関器５０の出力５５が従属パス成分２０の相関出力として使用され、情報復調に利用される。
【００５３】
上述した説明においては、従属パス成分を１波としたが、従属パス成分が複数存在する場合には、使用する数だけＰｕｎｃｔｕａｌ相関器およびそのＰｕｎｃｔｕａ１相関器に対応した拡散符号発生器を並設し、各ｐｕｎｃｔｕａ１相関器の出力は情報復調部５に入力される。
したがって、独立パスおよび従属パスグループの中での有効パス成分を利用したＲａｋｅ合成を実現することができる。
【００５４】
＜第３実施形態＞
次に、図６に基づいて、本発明の第３実施形態に係る同期追従方式を説明する。
第３実施形態に係る同期追従方式において、メインパスに対する同期部６６は、ＤＬＬ回路９４とｐｕｎｃｔｕａ１相関器６０から構成されており、図５に示す同期部４６と同一の構成となっている。
【００５５】
すなわち、受信ベースバンド信号８は、ｅａｒｌｙ相関器６１、ｌａｔｅ相関器６２およびｐｕｎｃｔｕａｌ相関器６０に入力され、誤差検出器６３により位相調整されてチップＣＬＫ６８を得ることができ、このチップＣＬＫ６８が拡散符号発生器６４に入力される。
図６に示すＤＬＬ回路９５は、汎用ＤＬＬ回路であり、受信ベースバンド信号８は、ｅａｒｌｙ相関器７１、ｌａｔｅ相関器７２に入力され、誤差検出器７３により位相調整されてチップＣＬＫ７８を得ることができる。
【００５６】
基準位相での逆拡散を行うｐｕｎｃｔｕａ１相関器７０からの逆拡散出力７５は、情報復調に利用するために利用される。
汎用同期回路７６は、汎用ＤＬＬ回路９５と、ｐｕｎｃｔｕａｌ相関器７０と、ＤＬＬの制御信号を切替える切替スイッチ７９とから構成されている。
汎用ＤＬＬ回路９５では、例えば、メインパスのＤＬＬ回路９４に対する従属パスのＤＬＬ構成とする場合に、誤差検出器６３により位相調整されたチップＣＬＫ６８を利用して拡散符号発生器７４を動作させる。
【００５７】
一方、汎用同期回路７６の汎用ＤＬＬ回路９５を、独立パスに対するＤＬＬとして機能させるためには、位相調整されたチップＣＬＫ７８を利用して拡散符号発生器７４を動作させる。
メインパス、従属パスグループの有効パスタイミング信号９に依存して、拡散符号発生器６４および７４の拡散符号の生成タイミングが規定される。
このような動作を行うため、パスサーチ識別部（図示せず）または外部からのコントロール信号９０により切替スイッチ７９を制御して、従属パスに対するチップクロック６８と独立パスに対するチップクロック７８とを切替え、拡散符号発生器７４を動作させる。したがって、ｐｕｎｃｔｕａｌ相関器７０からの逆拡散出力７５は、この切替動作に依存して、独立パスの相関出力またはメインパス信号であるｐｕｎｃｔｕａｌ相関器出力信号６５に対する従属パスの相関出力となる。
図６に示すＤＬＬ回路９４および９５により、自由度があるＤＬＬ構成とすることができる。
【００５８】
このように、少なくとも一つの独立パスまたはメインパスに対する同期部６６と、複数の汎用同期回路７６により、Ｒａｋｅ合成に必要なパスに対するＤＬＬ回路および情報復調のための逆拡散信号を得ることができる。
【００５９】
【発明の効果】
以上説明したように、本発明の同期追従方式によれば、従属パスグループは同期したＤＬＬ動作を行う。このため、独立パスと同様に実効的には独立したパスとして存在するため、スペクトル拡散方式およびＣＤＭＡ方式の特徴であるＲａｋｅ機能による特性向上が可能な同期追従方式を構成することができる。
【図面の簡単な説明】
【図１】本発明の第１実施形態に係る同期追従方式を用いたスペクトル拡散通信方式およびＣＤＭＡ方式の受信部の概略構成を示すブロック図である。
【図２】逆拡散部と同期追従部からなる同期部の詳細を示すブロック図である。
【図３】本発明の同期追従方式におけるパスサーチ部のブロック図である。
【図４】最大値を検出してメインパスを決定するための手順を示すフローチャートである。
【図５】本発明の第２実施形態に係る同期追従方式を用いたスペクトル拡散通信方式およびＣＤＭＡ方式の受信部の概略構成を示すブロック図である。
【図６】本発明の第３実施形態に係る同期追従方式を用いたスペクトル拡散通信方式およびＣＤＭＡ方式の受信部の概略構成を示すブロック図である。
【図７】従来のＤＬＬ回路を用いた同期追従方式の概略構成を示すブロック図である。
【図８】ＤＬＬ動作の説明図である。
【図９】マルチパス状況下における相関特性の説明図である。
【符号の説明】
１  アンテナ
２  ＲＦ増幅器
３  周波数変換器
４、４６、６６  同期部
５  情報復調部
６  パスサーチ部
７  復調データ
８  受信ベースバンド信号
９  有効パスタイミング信号
１１、２１、４１、６１、７１  ｅａｒｌｙ相関器
１０、２２、４２、６２、７２  ｌａｔｅ相関器
１２、２３  比較器
１３、２４  ループフィルタ
１４  ＶＣＯ
１６、１７、１８  マルチパス信号
１９  メインパス成分
２０  従属パス成分
１７、１８  独立パス
２５  ＣＬＫ発生器
２６  チップＣＬＫ位相調整器
１５、２７、４４、５４、６４、７４  拡散符号発生器
２８、４０、５０、６０、７０  ｐｕｎｃｔｕａ１相関器
３０  遅延プロファイル測定部
３１  パスタイミング測定部
３２  パス識別部
３３  遅延プロファイル信号
３４  マスタークロック信号
３５  パスタイミング信号
３７、３８  インパルス信号
４３、６３、７３  誤差検出器
４５  逆拡散出力
４７、９２  逆拡散部
４８、６８、７８  チップクロック
２９、４５、５５、６５、７５  ｐｕｎｃｔｕａ１相関器出力信号
７６  汎用同期回路
７９  切替スイッチ
９０  コントロール信号
９１、９３、９４、９５  ＤＬＬ回路
【図１】
0003633847.tif 000002
【図２】
0003633847.tif 000003
【図３】
0003633847.tif 000004
【図４】
0003633847.tif 000005
【図５】
0003633847.tif 000006
【図６】
0003633847.tif 000007
【図７】
0003633847.tif 000008
【図８】
0003633847.tif 000009
【図９】
0003633847.tif 000010